(57)【要約】【課題】ホストコンピュータに接続される光ディスク装置において、オーディオ再生時には自動的にディスク回転速度を低速にする光ディスク装置を提供する。【解決手段】コントローラ回路３は、ホストコンピュータ８からのリードＣＤコマンドの要求セクタ数がスレッシュ値以下であるかを判別し、スレッシュ値以下の場合にディスクの回転速度を低速にする回転速度制御信号３ａをモータドライバ２に送り、モータドライバ２は送られた回転速度制御信号３ａに基づいてディスクモータ１を駆動して光ディスクの回転速度を低速にすることを特徴とする。【選択図】  図１
2004342184.tif 000002
【特許請求の範囲】
【請求項１】
光ディスクを回転するディスクモータと、該ディスクモータを駆動するモータドライバと、該モータドライバに回転速度制御信号を送るコントローラ回路を備え、該コントローラ回路は、ホストコンピュータからのリードＣＤコマンドの要求セクタ数がスレッシュ値以下であるかを判別し、該スレッシュ値以下の場合に前記ディスクの回転速度を低速にする前記回転速度制御信号を前記モータドライバに送り、該モータドライバは送られた前記回転速度制御信号に基づいて前記ディスクモータを駆動して前記光ディスクの回転速度を低速にすることを特徴とする光ディスク装置。
【請求項２】
請求項１記載の光ディスク装置において、前記ホストコンピュータからのリードＣＤコマンドの要求セクタ数がスレッシュ値以下でない場合には前記ディスクの回転速度を高速にする前記回転速度制御信号を前記モータドライバに送り、該モータドライバは送られた前記回転速度制御信号に基づいて前記ディスクモータを駆動して前記光ディスクの回転速度を高速にすることを特徴とする光ディスク装置。
【請求項３】
ホストコンピュータからのリードＣＤコマンドの要求セクタ数がスレッシュ値以下であるかを判別し、該スレッシュ値以下の場合に前記ディスクの回転速度を低速にすることを特徴とする光ディスク装置の制御方法。
【請求項４】
請求項３記載の光ディスク装置において、前記ホストコンピュータからのリードＣＤコマンドの要求セクタ数がスレッシュ値以下でない場合には前記ディスクの回転速度を高速にすることを特徴とする光ディスク装置の制御方法。
【発明の詳細な説明】
【０００１】
【発明の属する技術分野】
本発明は、ＤＡＥオーディオ再生を行う光ディスク装置および光ディスク装置の制御方法に関する。
【０００２】
【従来の技術】
従来、ＤＡＥオーディオ再生において、オーディオ再生とデータ再生とも４８倍速で再生が行われており、深夜等の静寂な環境でオーディオ鑑賞を行った場合、ディスク回転音が気になるという指摘があった。
【０００３】
それに対して、ディスク再生速度が低速で十分であるとき、或いは騒音を気づかう深夜に使用するようなときに、８倍速選択釦や４倍速選択釦を操作することで、低速で回転駆動する公知技術がある（例えば、特許文献１参照）。
【０００４】
【特許文献１】
特開２０００−１８２３０９号公報（要約）
【０００５】
【発明が解決しようとする課題】
しかしながら、低速にするのに、いちいち手動操作を必要としていたのでは使い勝手がよくない。
【０００６】
本発明の目的は、ホストコンピュータに接続される光ディスク装置において、オーディオ再生時には自動的にディスク回転速度を低速にする光ディスク装置および光ディスク装置の制御方法を提供することにある。
【０００７】
【課題を解決するための手段】
本発明は、オーディオ再生時、ホストコンピュータからのリードＣＤコマンドの要求セクタ数がスレッシュ値以下の場合、高速回転する必要がないことに着目してなされたものである。
【０００８】
本発明の請求項１記載の光ディスク装置は、光ディスクを回転するディスクモータと、該ディスクモータを駆動するモータドライバと、該モータドライバに回転速度制御信号を送るコントローラ回路を備え、該コントローラ回路は、ホストコンピュータからのリードＣＤコマンドの要求セクタ数がスレッシュ値以下であるかを判別し、該スレッシュ値以下の場合に前記ディスクの回転速度を低速にする前記回転速度制御信号を前記モータドライバに送り、該モータドライバは送られた前記回転速度制御信号に基づいて前記ディスクモータを駆動して前記光ディスクの回転速度を低速にすることを特徴とする。
【０００９】
本発明の請求項２記載の光ディスク装置は、請求項１記載の光ディスク装置において、前記ホストコンピュータからのリードＣＤコマンドの要求セクタ数がスレッシュ値以下でない場合には前記ディスクの回転速度を高速にする前記回転速度制御信号を前記モータドライバに送り、該モータドライバは送られた前記回転速度制御信号に基づいて前記ディスクモータを駆動して前記光ディスクの回転速度を高速にすることを特徴とする。
【００１０】
本発明の請求項３記載の光ディスク装置の制御方法は、ホストコンピュータからのリードＣＤコマンドの要求セクタ数がスレッシュ値以下であるかを判別し、該スレッシュ値以下の場合に前記ディスクの回転速度を低速にすることを特徴とする。
【００１１】
本発明の請求項４記載の光ディスク装置の制御方法は、請求項３記載の光ディスク装置において、前記ホストコンピュータからのリードＣＤコマンドの要求セクタ数がスレッシュ値以下でない場合には前記ディスクの回転速度を高速にすることを特徴とする。
【００１２】
【発明の実施の形態】
以下、本発明の実施の形態を、図１から図３を用いて説明する。
【００１３】
図１は、本発明の光ディスク装置の実施の形態の構成図である。
【００１４】
図１において、光ディスクを回転するディスクモータ１と、ディスクモータ１を駆動するモータドライバ２と、モータドライバ２に回転速度制御信号を送るコントローラ回路３とを備え、コントローラ回路３は、ホストコンピュータ８からのリードＣＤコマンドの要求セクタ数がスレッシュ値以下であるかを判別し、該スレッシュ値以下の場合にディスクの回転速度を低速にする回転速度制御信号３ａをモータドライバ２に送り、モータドライバ２は送られた回転速度制御信号３ａに基づいてディスクモータ１を駆動して光ディスクの回転速度を低速にする。
【００１５】
コントローラ回路３は、その内部に、モータドライバ２に回転速度の指示を与える回転速度制御回路４、Ｈｏｓｔ  Ｉ／Ｆ８のＤＡＥ信号を検出するリードＣＤコマンド検出回路５、Ｈｏｓｔ  Ｉ／Ｆ８のリードＣＤコマンドにて要求されるセクタ数を加算する要求セクタカウント回路６、一定時間ごとにイネーブル信号を発生する一定時間カウント回路７を有している。
【００１６】
図２は、図１の実施の形態の制御を示すフローチャート図である。図３は、図２の制御における信号状態を示す図である。
【００１７】
以下、図２の各ステップにつき、説明する。
【００１８】
ステップ２０１にて、リードＣＤコマンド検出回路５、要求セクタカウント回路６、一定時間カウント回路７をリセットし、ＤＡＥ信号と一定時間タイミング信号を“Ｌ”とする。
【００１９】
ステップ２０２にて、リードＣＤコマンド検出回路５にて、Ｈｏｓｔ  Ｉ／Ｆ８からのリードＣＤコマンドをチェックし、コマンドがある場合はステップ２０３に進み、コマンドがない場合はステップ２０２を繰り返す。
【００２０】
ステップ２０３にて、ＤＡＥ信号を“Ｈ”とし、要求セクタカウント回路６にてリードＣＤコマンドに含まれる要求セクタ数を加算するとともに、一定時間カウント回路７にてカウントを開始する。
【００２１】
ステップ２０４にて、一定時間カウント回路７のカウントアップを継続し、ステップ２０５、及び、ステップ２０７に進む。
【００２２】
ステップ２０５にて、リードＣＤコマンド検出回路５にて、再び、Ｈｏｓｔ  Ｉ／Ｆ８からのリードＣＤコマンドをチェックし、コマンドがある場合はステップ２０６に進み、コマンドがない場合はステップ２０４に戻る。
【００２３】
ステップ２０６にて、要求セクタカウント回路６にてリードＣＤコマンドに含まれる要求セクタ数を加算し、ステップ２０４に戻る。
【００２４】
ステップ２０７にて、一定時間カウント回路７のカウント数が所定値に達しているかどうかをチェックして、達していない場合はステップ２０４に戻り、所定値に達した場合はステップ２０８に進む。
【００２５】
ステップ２０８にて、一定時間カウント回路７の一定時間タイミング信号をイネーブルとして、回転速度制御回路４にて要求セクタカウント回路６の加算された要求セクタ数と、ＤＡＥ信号の取り込みを行う。
【００２６】
ステップ２０９にて、回転速度制御回路４にＤＡＥ信号“Ｈ煤Ａかつ、加算された要求セクタ数がスレッシュ値（例えば、５秒間のセクタ取り込み数が７５０セクタ）以下かどうかを判別する。ＤＡＥ信号“Ｈ煤Ａかつ、加算された要求セクタ数がスレッシュ値以下の場合はステップ２１０に進み、そうでない場合はステップ２１３に進む。
【００２７】
ステップ２１０にて、回転速度制御回路４からモータドライバ回路２にディスク回転速度を低速の１０倍速とする信号を送る。
【００２８】
ステップ２１１にて、モータドライバ回路２を低速の１０倍速回転モードとしてディスクモータ１の駆動電流を制御する。
【００２９】
ステップ２１２にて、一定時間カウント回路７、要求セクタカウント回路６をリセットし、一定時間タイミング信号を“Ｌ”とする。
【００３０】
一方、ステップ２０９にて、ＤＡＥ信号“Ｈ煤Ａかつ、加算された要求セクタ数がスレッシュ値以下でない場合は、ステップ２１３にて、回転速度制御回路４からモータドライバ回路２にディスク回転速度を高速の４８倍速とする信号を送り、ステップ２１４にて、モータドライバ回路２を４８倍速回転モードとしてディスクモータ１の駆動電流を制御する。
【００３１】
本発明の実施の形態によれば、ＤＡＥ信号“Ｈ煤Ａかつ、加算された要求セクタ数がスレッシュ値以下かどうかを判別し、ＤＡＥ信号“Ｈ煤Ａかつ、加算された要求セクタ数がスレッシュ値以下でないの場合は、ディスク回転速度を低速の１０倍速とし、ＤＡＥ信号“Ｈ煤Ａかつ、加算された要求セクタ数がスレッシュ値以下の場合は、ディスク回転速度を高速の４８倍速とするので、低速にするのに、いちいち手動操作を必要とせず、使い勝手がよい。
【００３２】
【発明の効果】
本発明によれば、ホストコンピュータに接続される光ディスク装置において、オーディオ再生時には自動的にディスク回転速度を低速にする光ディスク装置および光ディスク装置の制御方法を得ることができる。
【図面の簡単な説明】
【図１】本発明の光ディスク装置の実施の形態の構成図である。
【図２】図１の実施の形態の制御を示すフローチャート図である。
【図３】図２の制御における信号状態を示す図である。
【符号の説明】
１：ディスクモータ、２：モータドライバ、３：コントローラ回路、４：回転速度制御回路、５：リードＣＤコマンド検出回路、６：要求セクタカウント回路、７：一定時間カウント回路、８：ＨＯＳＴ  Ｉ／Ｆ。
【図１】
2004342184.tif 000003
【図２】
2004342184.tif 000004
【図３】
2004342184.tif 000005